(57)【要約】  【課題】  保持体が保持した清掃体を取外すことなく容易に絞ることができる清掃用具を提供する点にある。  【解決手段】  一面２ａに清掃体１が保持された保持体２は、該保持体２と一体に形成された薄肉のヒンジ２１と、一面２ａの複数個所に突設された複数の係止爪２５とを有しており、該保持体２のヒンジ２１から一方側部分２ｃの他面２ｂに、柄に連結される連結体４を結合し、ヒンジ２１から他方側部分２ｄに、連結体４に係止された係止部２３を設け、清掃体１は係止爪２５に係止される不織布１１を接合してなる構成とし、ヒンジ２１で保持体２を折曲げることにより清掃体１を絞ることができるようにした。  【選択図】      図１
2006081691.tif 000002
【特許請求の範囲】
【請求項１】
吸水性を有する清掃体をその一面に保持する保持体を有する清掃用具において、前記保持体は、該保持体と一体に形成された薄肉のヒンジにより前記一面側へ折曲可能としてあることを特徴とする清掃用具。
【請求項２】
前記保持体は前記ヒンジから一方側部分の他面に、柄に連結される連結体が結合されており、前記ヒンジから他方側部分に、前記連結体に係止された係止部を有する請求項１記載の清掃用具。
【請求項３】
前記保持体の他面に摘み片が突設されている請求項１又は２記載の清掃用具。
【請求項４】
前記清掃体は不織布を有し、前記保持体の一面に、前記不織布が係止される複数の係止爪を有する請求項１乃至３のいずれか一つに記載の清掃用具。
【発明の詳細な説明】
【技術分野】
【０００１】
本発明は浴槽等を清掃するのに便利な清掃用具に関する。
【背景技術】
【０００２】
浴槽を清掃する清掃用具は、スポンジ体と、一面に前記スポンジ体を保持し、他方への折曲げを許容するヒンジを有する保持体と、該保持体に連結された柄とを備えており、浴槽の曲面部では保持体及びスポンジ体がヒンジ部分からスポンジ体と反対側へ折曲がるように構成されている（例えば、特許文献１）。
【特許文献１】特開２００１−７０２２４号公報
【発明の開示】
【発明が解決しようとする課題】
【０００３】
ところで、浴槽、洗い場等を清掃した後の清掃用具のスポンジ体は水分を吸収しているため、このスポンジ体を絞ってスポンジ体から水分を除去する必要がある。
【０００４】
しかしながら、特許文献１のように構成された清掃用具は、保持体に保持されたスポンジ体を保持状態で絞ることが困難であるため、スポンジ体を保持体から取外して絞る必要があり、また、絞った後で再びスポンジ体に保持する必要があり、スポンジ体の絞り作業性が悪いと言う問題があった。
【０００５】
本発明は斯かる事情に鑑みてなされたものであり、主たる目的は吸水性を有する清掃体をその一面に保持する保持体を、該保持体と一体に形成された薄肉のヒンジにより前記一面側へ折曲可能とすることにより、清掃体を取外すことなく容易に絞ることができる清掃用具を提供することにある。
【０００６】
また、他の目的はヒンジから一方側部分の他面に、柄に連結される連結体を結合し、ヒンジから他方側部分に、前記連結体に係止された係止部を設けることにより、清掃体のふらつきを確実に防ぐことができる清掃用具を提供することにある。
【０００７】
また、他の目的は保持体の他面に摘み片を突設することにより、清掃体をより一層容易に絞ることができる清掃用具を提供することにある。
【０００８】
また、他の目的は清掃体は不織布を有し、保持体の一面に、前記不織布が係止される複数の係止爪を有する構成とすることにより、清掃体の交換を容易にできる清掃用具を提供することにある。
【課題を解決するための手段】
【０００９】
第１発明に係る清掃用具は、吸水性を有する清掃体をその一面に保持する保持体を有する清掃用具において、前記保持体は、該保持体と一体に形成された薄肉のヒンジにより前記一面側へ折曲可能としてあることを特徴とする。
【００１０】
第１発明にあっては、一面に清掃体を保持する保持体をヒンジから一面側へ折曲げることにより、保持体に保持した清掃体を重合するように折曲げ、該清掃体を絞ることができる。
【００１１】
第２発明に係る清掃用具は、前記保持体は前記ヒンジから一方側部分の他面に、柄に連結される連結体が結合されており、前記ヒンジから他方側部分に、前記連結体に係止された係止部を有することを特徴とする。
【００１２】
第２発明にあっては、ヒンジに対し一方側部分には連結体が結合されており、他方側部分は係止部により連結体に係止されているため、清掃体のふらつきを確実に防ぐことができる。
【００１３】
第３発明に係る清掃用具は、前記保持体の他面に摘み片が突設されていることを特徴とする。
【００１４】
第３発明にあっては、保持体の他面に突設された摘み片を摘んで他方側部分を一方側部分へ折曲げることができるため、折曲力を加え易く、清掃体を容易に絞ることができる。
【００１５】
第４発明に係る清掃用具は、前記清掃体は不織布を有し、前記保持体の一面に、前記不織布が係止される複数の係止爪を有することを特徴とする。
【００１６】
第４発明にあっては、清掃体の不織布を係止爪に押圧することにより清掃体を係止爪に係止することができ、また、清掃体を保持体と離隔する方向へ引張ることにより係止爪による係止を解除することができるため、清掃体の交換を容易にできる。
【発明の効果】
【００１７】
第１発明によれば、保持体をヒンジから一面側へ折曲げることにより清掃体を絞ることができるため、清掃体の絞り作業性を向上できる。
【００１８】
第２発明によれば、保持体に保持された清掃体のふらつきを確実に防ぐことができる。
【００１９】
第３発明によれば、摘み片を摘んで保持体を折曲げることができ、清掃体を容易に絞ることができ、清掃体の絞り作業性をより一層向上できる。
【００２０】
第４発明によれば、清掃体を取外し可能に係止することができ、清掃体の交換を容易にできる。
【発明を実施するための最良の形態】
【００２１】
以下本発明をその実施の形態を示す図面に基づいて詳述する。図１は清掃用具の全体構成を示す斜視図、図２は清掃用具の構成を示す平面図、図３は清掃用具の清掃体を省略した構成を示す底面図、図４は図２のIV−IV線の清掃体を省略した断面図、図５は清掃用具の清掃体を省略した構成を示す側面図、図６は図２のVI−VI線の清掃体を省略した断面図、図７は清掃用具の清掃体を省略した構成を示す背面図である。
【００２２】
清掃用具は、吸水性を有する清掃体１と、一面２ａに清掃体１を保持し、他面２ｂに柄３に連結される連結体４が結合された合成樹脂製の保持体２とを備えてなる。
【００２３】
保持体２は四角形の板からなり、離隔した２つの位置間の中央部には一面２ａ側へ折曲可能とした薄肉のヒンジ２１が一体に設けられている。また、ヒンジ２１から一方側部分２ｃのヒンジ２１側には離隔した４つの位置に係止孔２２が穿設されており、この係止孔２２に連結体４が取外し可能に結合されている。ヒンジ２１から他方側部分２ｄの他面２ｂでヒンジ２１と離隔した位置には連結体４の後記する係合凸部に係止される鉤形の係止部２３と、摘み片２４とが一体に突設されている。また、一方側部分２ｃ及び他方側部分２ｄの一面２ａには離隔した複数個所のそれぞれに複数の係止爪２５が一体に突設されている。尚、ヒンジ２１は他面２ｂ及び一面２ａに溝を設けることにより形成されている。
【００２４】
連結体４は一方側部分２ｃ及び他方側部分２ｄの他面２ｂに載置される大きさの四角形をなしており、中央部にはヒンジ２１の長手方向へ離隔した位置で対向する２つの連結片４１，４１が一体に突設されている。この連結片４１，４１には嵌合孔４２，４２がヒンジ２１と並行的に穿設されており、該嵌合孔４２，４２に、柄３の一端部に突設された２つの軸部３１，３１が回動可能に嵌合され、連結体４及び柄３を相対回転可能に連結している。他方側部分２ｄに載置される部分の離隔した４つの位置には、係止孔２２に嵌合係止される連結爪４３が一体に突設されており、この連結爪４３を係止孔２２に嵌合することにより、連結体４を保持体２に取外し可能に結合されている。また、他方側部分２ｄに載置される部分のヒンジ２１と反対側位置には係止部２３と係合する係合凸部４４が設けられており、係止部２３の係合凸部４４との係合により他方側部分２ｄの折曲方向への動作を規制している。
【００２５】
図８は清掃体の平面図、図９は清掃体の一部を破断した側面図である。清掃体１は中央部に折目１ａを有する四角形をなしており、両面に配された不織布１１，１２と、該不織布１１，１２間に配された綿などの吸水性に優れた吸水材１３との三層構造になっており、不織布１１，１２及び吸水材１３の周縁と両端間の中央部とが溶着されており、中央部の溶着部分がヒンジ２１と対向すべき折目１ａになっている。また、一面の不織布１１又は他面の不織布１２が係止爪２５に係止されることにより清掃体１を保持体２に取外し可能に保持している。係止爪２５と不織布１１又は不織布１２とは面ファスナを構成しており、清掃体１を係止爪２５に押圧することにより清掃体１を係止爪２５に係止することができ、また、清掃体１を保持体２と離隔する方向へ引張ることにより係止爪２５による係止を解除することができるように構成されている。また、不織布１１，１２には複数の凹条１ｂが折目１ａと平行的に設けられている。
【００２６】
以上のように構成された清掃用具は浴槽、洗い場等の清掃に使用される。清掃作業は柄３を把持し、清掃体１の不織布１２を被清掃面に押付けて擦ることにより清掃することができる。この場合、保持体２の他方側部分２ｄは係止部２３が連結体４の係合凸部４４に係合して他方側部分２ｄの折曲方向への動作が規制されているため、他方側部分２ｄを連結体４と一体にでき、清掃体１の保持体２に対するふらつきを確実に防ぐことができる。また、清掃体１は不織布１１，１２間に吸水材１３が配された三層構造になっているため、清掃時に保水することができ、被清掃面の清掃が行い易い。
【００２７】
清掃を終了した場合など清掃体１が吸収している水分を除去するとき、一方の手で柄３を把持し、他方の手で摘み片２４を摘み、他方側部分２ｄを一方側部分２ｃへ折曲操作することにより係止部２３の係合凸部４４との係合が解除され、ヒンジ２１を支点として他方側部分２ｄを一方側部分２ｃへ折曲げることができ、折目１ａを中心として清掃体１を重合するように折曲げることができる。従って、清掃体１の全体を充分に絞ることができる。
【００２８】
清掃体１の絞り作業が終了した場合、摘み片２４を摘んでいる手で他方側部分２ｄを元位置へ戻し操作することにより、係止部２３が係合凸部４４と係合し、他方側部分２ｄを連結体４と一体にできる。
【００２９】
また、清掃体１を交換する場合、清掃体１を保持体２と離隔する方向へ引張ることにより係止爪２５による係止を解除することができ、保持体２から取外すことができ、また、新たな清掃体１の不織布１１部分又は不織布１２部分を係止爪２５に押圧することにより清掃体１を保持体２に保持することができる。
【００３０】
尚、以上説明した実施の形態では清掃体１を取外し可能に保持する手段として面ファスナを用いたが、その他の取外し可能な手段としてもよい。また、清掃体１は両面に不織布１１，１２を有する構成としたが、一面に不織布を有し、他面にスポンジ体を有する構成としてもよいのであり、清掃体１の構成は特に制限されない。
【図面の簡単な説明】
【００３１】
【図１】本発明に係る清掃用具の全体構成を示す斜視図である。
【図２】本発明に係る清掃用具の構成を示す平面図である。
【図３】本発明に係る清掃用具の清掃体を省略した構成を示す底面図である。
【図４】図２のIV−IV線の清掃体を省略した断面図である。
【図５】本発明に係る清掃用具の清掃体を省略した構成を示す側面図である。
【図６】図２のVI−VI線の清掃体を省略した断面図である。
【図７】本発明に係る清掃用具の清掃体を省略した構成を示す背面図である。
【図８】本発明に係る清掃用具の清掃体の平面図である。
【図９】本発明に係る清掃用具の清掃体の一部を破断した側面図である。
【符号の説明】
【００３２】
１    清掃体
１１，１２  不織布
２    保持体
２ａ  一面
２ｂ  他面
２ｃ  一方側部分
２ｄ  他方側部分
２１  ヒンジ
２３  係止部
２４  摘み片
２５  係止爪
４    連結体
【図１】
2006081691.tif 000003
【図２】
2006081691.tif 000004
【図３】
2006081691.tif 000005
【図４】
2006081691.tif 000006
【図５】
2006081691.tif 000007
【図６】
2006081691.tif 000008
【図７】
2006081691.tif 000009
【図８】
2006081691.tif 000010
【図９】
2006081691.tif 000011